(57)【要約】【課題】鍔付のヘルメット、帽子等に装着した際に、外れたり、ずれたりし難い装着機構及び当該装着機構を備えた換気装置を提供する。【解決手段】シート状部材１１１によって環状に形成された環状部材１１と、環状部材１１の上下両端部の近傍に、環状部材１１を周回するように備えられた紐状部材１２と、紐状部材１２の環状部材１１を周回する部分の長さを調整する調整手段１３と、を備え、着用者の頭部を周回するように鍔を備える物品に対して、環状部材１１及び紐状部材１２によって鍔を上下に挟み込むようにして装着される。【選択図】図２
2019085658.tif 000002
【特許請求の範囲】
【請求項１】
シート状部材によって環状に形成された環状部材と、
前記環状部材の上下両端部の近傍に、前記環状部材を周回するように備えられた紐状部材と、
前記紐状部材の前記環状部材を周回する部分の長さを調整する調整手段と、
を備え、
着用者の頭部を周回するように鍔を備える物品に対して、前記環状部材及び前記紐状部材によって前記鍔を上下に挟み込むようにして装着されることを特徴とする装着機構。
【請求項２】
前記環状部材は、外面側シート状部材と、内面側シート状部材と、を有し、
前記外面側シート状部材と、前記内面側シート状部材と、の間には、前記環状部材の一端部近傍を周回するように形成された第１間隙と、前記環状部材の他端部近傍を周回するように形成された第２間隙と、が形成され、
前記紐状部材は、
前記第１間隙及び前記第２間隙内に、前記環状部材を周回するように収納されていることを特徴とする請求項１に記載の装着機構。
【請求項３】
前記外面側シート状部材は、近接する位置に、前記第１間隙と外部とを繋ぐ第１開口部と、前記第２間隙と外部とを繋ぐ第２開口部と、を有し、
前記紐状部材は、
一端部が前記第１開口部から外部に露出し、
他端部が前記第２開口部から外部に露出し、
中間部において、前記第１開口部及び前記第２開口部を介して、前記第１間隙内に収納された部分と、前記第２間隙内に収納された部分と、が接続されており、
前記紐状部材の前記一端部及び前記他端部に、前記調整手段を備えることを特徴とする請求項２に記載の装着機構。
【請求項４】
シート状部材によって環状に形成された環状部材と、
前記環状部材の上下両端部の近傍に、前記環状部材を周回するように備えられた紐状部材と、
を備え、
前記紐状部材は、伸縮性を有し、
着用者の頭部を周回するように鍔を備える物品に対して、前記環状部材及び前記紐状部材によって前記鍔を上下に挟み込むようにして装着されることを特徴とする装着機構。
【請求項５】
前記環状部材は、内面側に滑り止め部を備えることを特徴とする請求項１から４のいずれか一項に記載の装着機構。
【請求項６】
請求項１から５のいずれか一項に記載の装着機構を備えた換気装置。
【発明の詳細な説明】
【技術分野】
【０００１】
本発明は、鍔付のヘルメットや鍔付の帽子に、換気装置、日除け等の所定の物品を装着するための装着機構及び当該装着機構を備えた換気装置に関するものである。
【背景技術】
【０００２】
従来、ヘルメット、帽子等に装着して用いられることで、ヘルメット、帽子等に所定の機能を付加する物品、例えば、ヘルメットに装着して用いられるヘルメット内換気装置が知られている（例えば、特許文献１参照）。
特許文献１に記載のヘルメット内換気装置においては、装着機構として取付ベルトが用いられ、取付ベルトをヘルメットに巻きつけた上で、面ファスナー等によってその端部同士を固定することで、ヘルメット内換気装置をヘルメットに装着する。
【先行技術文献】
【特許文献】
【０００３】
【特許文献１】再公表特許第２０１５／００８５２９号公報
【発明の概要】
【発明が解決しようとする課題】
【０００４】
しかしながら、上記のような装着機構では、ヘルメットを水平方向に周回するように取付ベルトを巻き付けるのみの構造であるため、装着した際の強度が十分ではなく、ヘルメットの使用中に外れてしまったり、ずれてしまったりすることが多かった。この点は、鍔を有するヘルメット、帽子等においては、鍔によって取付ベルトを巻き付け難くなることから、特に顕著であった。
【０００５】
本発明の課題は、鍔付のヘルメット、帽子等に装着した際に、外れたり、ずれたりし難い装着機構及び当該装着機構を備えた換気装置を提供することである。
【課題を解決するための手段】
【０００６】
上記課題を解決するため、請求項１に記載の発明は、装着機構において、
シート状部材によって環状に形成された環状部材と、
前記環状部材の上下両端部の近傍に、前記環状部材を周回するように備えられた紐状部材と、
前記紐状部材の前記環状部材を周回する部分の長さを調整する調整手段と、
を備え、
着用者の頭部を周回するように鍔を備える物品に対して、前記環状部材及び前記紐状部材によって前記鍔を上下に挟み込むようにして装着されることを特徴とする。
【０００７】
請求項２に記載の発明は、請求項１に記載の装着機構において、
前記環状部材は、外面側シート状部材と、内面側シート状部材と、を有し、
前記外面側シート状部材と、前記内面側シート状部材と、の間には、前記環状部材の一端部近傍を周回するように形成された第１間隙と、前記環状部材の他端部近傍を周回するように形成された第２間隙と、が形成され、
前記紐状部材は、
前記第１間隙及び前記第２間隙内に、前記環状部材を周回するように収納されていることを特徴とする。
【０００８】
請求項３に記載の発明は、請求項２に記載の装着機構において、
前記外面側シート状部材は、近接する位置に、前記第１間隙と外部とを繋ぐ第１開口部と、前記第２間隙と外部とを繋ぐ第２開口部と、を有し、
前記紐状部材は、
一端部が前記第１開口部から外部に露出し、
他端部が前記第２開口部から外部に露出し、
中間部において、前記第１開口部及び前記第２開口部を介して、前記第１間隙内に収納された部分と、前記第２間隙内に収納された部分と、が接続されており、
前記紐状部材の前記一端部及び前記他端部に、前記調整手段を備えることを特徴とする。
【０００９】
請求項４に記載の発明は、装着機構において、
シート状部材によって環状に形成された環状部材と、
前記環状部材の上下両端部の近傍に、前記環状部材を周回するように備えられた紐状部材と、
を備え、
前記紐状部材は、伸縮性を有し、
着用者の頭部を周回するように鍔を備える物品に対して、前記環状部材及び前記紐状部材によって前記鍔を上下に挟み込むようにして装着されることを特徴とする。
【００１０】
請求項５に記載の発明は、請求項１から４のいずれか一項に記載の装着機構において、
前記環状部材は、内面側に滑り止め部を備えることを特徴とする。
【００１１】
請求項６に記載の発明は、
請求項１から５のいずれか一項に記載の装着機構を備えた換気装置である。
【発明の効果】
【００１２】
本発明によれば、鍔付のヘルメット、帽子等に装着した際に、外れたり、ずれたりし難い装着機構及び当該装着機構を備えた換気装置を提供することができる。
【図面の簡単な説明】
【００１３】
【図１】（ａ）は、鍔付ヘルメットの側面図、（ｂ）は鍔付ヘルメットの底面図である。
【図２】実施形態に係る装着機構の斜視図である。
【図３】図２のIII-III部における断面図である。
【図４】環状部材に通された状態の紐状部材を示す図である。なお、紐状部材について環状部材に通され本来視認できない部分も記載するとともに、装着機構のうち紐状部材以外の部分については破線で記載している。
【図５】（ａ）は、実施形態に係るヘルメット内換気装置を後斜め上方から見た斜視図、（ｂ）は、実施形態に係るヘルメット内換気装置を前斜め上方から見た斜視図である。
【図６】実施形態に係るヘルメット内換気装置を鍔付ヘルメットに装着した状態を示す側面図である。
【図７】鍔付ヘルメットの鍔及び鍔付ヘルメットの鍔に装着された状態の装着機構の断面図である。
【図８】変形例に係る装着機構の斜視図である。なお、紐状部材については、外部から視認できない部分につき破線で記載している。
【発明を実施するための形態】
【００１４】
以下、本発明の実施の形態である装着機構及び当該装着機構を備えた換気装置について、図１から図８に基づいて説明する。
【００１５】
｛鍔付ヘルメットの構成｝
装着機構１は、鍔付のヘルメットや鍔付の帽子に、換気装置や日除け等の物品を装着するためのものである。したがって、まず、装着機構１が装着される物品の一例として、鍔付ヘルメット２００の構成について説明する。
【００１６】
鍔付ヘルメット２００は、図１に示すように、帽体２０１と、ハンモック２０２と、ヘッドバンド２０３と、あご紐２０４とを有する。帽体２０１は鍔付ヘルメット２００の本体をなす部分であり、硬質な材料によって略半球状に形成され、下端には、帽体２０１を水平方向に周回するようにして鍔２０１ａが形成されている。帽体２０１の内部には、帽体２０１と頭部との間に一定の間隔を確保するためのハンモック２０２が取り付けられている。また、ヘッドバンド２０３とあご紐２０４を調整することにより、鍔付ヘルメット２００を使用者の頭部に固定できるようになっている。
【００１７】
｛装着機構の構成｝
装着機構１は、鍔付ヘルメット２００や、鍔を着用者の頭部を周回するように備えた鍔付の帽子等に、換気装置や日除け等の所定の物品を取り付けるための機構である。なお、以下においては、図２に示すように、上下方向、前後方向及び左右方向を定めて説明する。
【００１８】
装着機構１は、図２に示すように、環状部材１１と、紐状部材１２と、調整手段１３と、を備える。
【００１９】
（環状部材）
環状部材１１は、図２に示すように、綿、ポリエステル等の柔軟性を有する所定のシート状部材１１１によって、上面及び下面が開口した略円筒状に形成された部材である。
また、環状部材１１は、図３に示すように、シート状部材１１１を上部で折り返し、二重に重ねることによって形成されており、内部に間隙を有する。なお、折り返されたシート状部材１１１のうち、環状部材１１の外面側（平面視における外周側）を形成する部分を外面側シート状部材１１１ａ、環状部材１１の内面側（平面視における内周側）を形成する部分を内面側シート状部材１１１ｂとする。
【００２０】
外面側シート状部材１１１ａと、内面側シート状部材１１１ｂとは、図２及び図３に示すように、上部から順に第１固定部１１２、第２固定部１１３、第３固定部１１４の３箇所において、縫合等の方法によって環状に固定され、内部に、環状の間隙が上下方向に３つ形成されている。なお、環状部材１１上部に形成された、シート状部材１１１の上端と第１固定部１１２との間の間隙を第１間隙１１５、環状部材１１下部に形成された、第２固定部１１３と第３固定部１１４との間の間隙を第２間隙１１６とする。
また、第３固定部１１４はシート状部材１１１の下端部近傍に形成され、第１固定部１１２及び第２固定部１１３は、シート状部材１１１の上端部と第３固定部１１４との間を、上下方向に略均等に３分割するように形成されている。
【００２１】
なお、環状部材１１の周長は、環状部材１１が取り付けられることが予定されている鍔付のヘルメット、帽子等の鍔の端部の周長と比較して、大きく形成される必要がある。
【００２２】
シート状部材１１１の外面側シート状部材１１１ａには、図２に示すように、上下方向に重なる位置に、外部空間と第１間隙１１５とが接続された第１開口部１１５ａと、外部空間と第２間隙１１６とが接続された第２開口部１１６ａとが形成されている。なお、第１開口部１１５ａと第２開口部１１６ａとは、外面側シート状部材１１１ａにおいて近接した位置に形成されていればよく、必ずしも図２に示すように配置されていることを要しない。
【００２３】
また、内面側シート状部材１１１ｂには、図２に示すように、第１間隙１１５に対応する部分の３箇所、すなわち図２おける前方、右方及び左方の上部に、ゴム等の摩擦抵抗の大きい素材で形成された滑り止め部１１７…が設けられている。なお、滑り止め部１１７…は、内面側シート状部材１１１ｂの第１間隙１１５に対応する部分に複数箇所形成されていることが望ましいが、その他の部分に形成されていてもよく、具体的な配置は図示したものに限られない。
【００２４】
（紐状部材）
紐状部材１２は、図２から図４に示すように、環状部材１１内に通される紐状の部材である。なお、紐状部材１２としては、後述のように第１間隙１１５及び第２間隙１１６に通すことのできる幅及び長さを有するものであれば、任意の形状のものを使用可能であり、紐状部材１２には、例えば、一定の幅を有する帯状の部材も含むものとする。
なお、紐状部材の１２の端部のうち、図２に示すように、第１開口部１１５ａから外部に出ている部分を第１端部１２ａ、第２開口部１１６ａから外部に出ている部分を、第２端部１２ｂとする。
【００２５】
紐状部材１２は、図４に示すように環状部材１１に通されている。具体的には、第１端部１２ａから見た場合、以下のとおりとなる。
まず、紐状部材１２は、まず、第１開口部１１５ａから第１間隙１１５に通され、時計回りに環状部材１１を一周した上で、第１開口部１１５ａから外部に引き出されている。
第１開口部１１５ａから外部に引き出された紐状部材１２は、折り返された上で、第２開口部１１６ａから第２間隙１１６に通されている。
第２間隙１１６内に通された紐状部材１２は、反時計回りに環状部材１１を一周した上で、第２端部１２ｂが、第２開口部１１６ａから外部に引き出されている。
【００２６】
なお、紐状部材１２は、第１端部１２ａ及び第２端部１２ｂが、第１開口部１１５ａと第２開口部１１６ａとの間で外部に露出している紐状部材１２の中間部分に通されていることがより望ましい。このように形成することで、紐状部材１２の中間部分によって、外面側シート状部材１１１ａの第１開口部１１５ａ及び第２開口部１１６ａ周辺が引っ張られることがなくなり、紐状部材１２の第１端部１２ａ及び第２端部１２ｂを引っ張った際に、環状部材１１が破損してしまう可能性を低減することができる。
【００２７】
（調整手段）
調整手段１３は、図２に示すように、紐状部材１２の、第１開口部１１５ａから外部に出ている第１端部１２ａと、第２開口部１１６ａから外部に出ている第２端部１２ｂとに固定されると共に、固定を外して固定位置を動かすことができる部材である。
調整手段１３は、第１開口部１１５ａ及び第２開口部１１６ａよりも大きく形成されており、第１間隙１１５及び第２間隙１１６の内部に入ってしまうことはない。したがって、調整手段１３の固定位置を動かすことで、紐状部材１２の環状部材１１内に通された部分の長さを調整することができる。
【００２８】
調整手段１３の具体的構成としては、紐状部材１２の環状部材１１内に通された部分の長さを調整することができれば任意の構成を採用可能である。例えば、調整手段１３として、孔部に紐を通した上で、ばねの力によって固定される公知のコードストッパーを使用することができる。
なお、図２においては、単独の調整手段１３に紐状部材１２の両端部が通される場合につき図示したが、調整手段１３は、紐状部材１２の第１端部１２ａと、第２端部１２ｂとに、それぞれ備えられてもよい。
【００２９】
｛装着機構を備えたヘルメット内換気装置｝
装着機構１を備えた物品の一例としてヘルメット内換気装置１００について、図５に基づいて説明する。
【００３０】
ヘルメット内換気装置１００は、装着機構１を除いて、特許文献１に記載されたものと略同一の構造を有し、図５に示すように、装着機構１と、布製の袋状体２と、送風手段３と、送風手段３を駆動するための電源４と、送風手段３と電源４とを電気的に接続するケーブル５とを備えている。
【００３１】
袋状体２は、二つの案内シート、すなわち第１案内シート２１と第２案内シート２２とを用いて、上方が開放され、開口部２ａが形成された袋状に形成され、第１案内シート２１の上端部において、装着機構１の環状部材１１の下端部に接続されている。また、第１案内シート２１には、送風手段３を取り付けるための孔部２１ａが形成されている。
第２案内シート２２は、第１案内シート２１と略同一の形状に形成されている。ただし、第２案内シート２２は、図５（ｂ）に示すように上端部において装着機構１に接続されていない。また、第２案内シート２２の上端部は、ゴム紐２２ａを内蔵し、伸縮可能に形成されている。
【００３２】
送風手段３は、外部の空気を袋状体２の内部に取り込み、袋状体２上方の開口部２ａから送出するためのものであり、孔部２１ａに装着される。送風手段３としては、公知のプロペラファン等が用いられる。
【００３３】
電源４及びケーブル５としては、送風手段３に対して、その駆動に必要な電力を供給できれば、任意の構成を採用可能である。例えば、袋状体２の内部において、ケーブル５の一端部が送風手段３に接続された上で、袋状体２の下部に開けられた孔から外部に引き出され、ケーブル５の他端部が所定のバッテリーを備えた電源４に接続されるようにすることで、電源４を例えば上着のポケット等に収納して使用することが可能となる。
【００３４】
｛装着方法｝
装着機構１を有する物品の、鍔付のヘルメット、帽子等に対する装着方法につき、ヘルメット内換気装置１００を、鍔付ヘルメット２００に装着する場合を例として、図６及び図７に基づいて説明する。
【００３５】
まず、環状部材１１の上下方向の中央部付近に、鍔付ヘルメット２００の鍔２０１ａの端部が位置するように、環状部材１１に鍔付ヘルメット２００を通す。
【００３６】
続いて、紐状部材１２の第１端部１２ａ及び第２端部１２ｂを引っ張り、紐状部材１２のうち、環状部材１１の第１間隙１１５及び第２間隙１１６に通され、環状部材１１を周回している部分の長さを短くする。これによって、環状部材１１は柔軟性を有するシート状部材１１１によって形成されていることから、環状部材１１上部の第１間隙１１５が形成された部分と、環状部材下部の第２間隙１１６が形成された部分が収縮する。
この際、鍔付ヘルメット２００の鍔２０１ａの端部が、環状部材１１の上下方向の中央部付近の内面側シート状部材１１１ｂ側に引っ掛かり、環状部材１１のうち、紐状部材１２が通された上下の部分のみが大きく収縮することとなるため、鍔付ヘルメット２００の鍔２０１ａの端部が、図７に示すように、環状部材１１及びその内部に通された紐状部材１２によって挟まれた状態となる。
【００３７】
続いて、当該状態において、調整手段１３の固定位置を、紐状部材１２の第１端部１２ａ側において第１開口部１１５ａ付近まで動かし、かつ、第２端部１２ｂ側において第２開口部１１６ａ付近まで動かして固定することで、図７に示すように環状部材１１及びその内部に通された紐状部材１２によって鍔２０１ａの端部が挟まれた状態において、紐状部材１２が固定される。これによって、図６に示すように、ヘルメット内換気装置１００が、鍔付ヘルメット２００に装着されることとなる。
【００３８】
図６に示した状態において、送風手段３を作動させると、孔部２１ａを介して、外気が袋状体２の内部に取り込まれ、取り込まれた外気の圧力により、第２案内シート２２は、首筋に向かって膨らみ、第１案内シート２１と第２案内シート２２との間に空気流通路が形成される。当該空気流通路に沿って上方に流れた空気は、袋状体２上部の開口部２ａから、鍔付ヘルメット２００と着用者と頭部との間の空間に導入される。これによって、鍔付ヘルメット２００内の空気を換気することができると共に、頭部から出た汗を気化し、その気化熱で頭部を冷却することができる。
【００３９】
なお、上記においては、ヘルメット内換気装置１００を、鍔付ヘルメット２００に装着する場合を例として説明したが、装着機構１を備えることができる物品はヘルメット内換気装置１００に限られない。
例えば、日光を通さない布地を装着機構１の環状部材１１の下端部に取付け、鍔付のヘルメット、帽子等から着用者の首筋を覆うように当該布地が垂れ下がるようにするのみでも、着用者の首筋付近を日光から守る日除けとしての機能を果たす物品を形成することができる。
【００４０】
｛実施形態の効果｝
実施形態に係る装着機構１によれば、鍔付のヘルメット、帽子等に対して、その鍔の部分を環状部材１１に通した上で、紐状部材１２を絞めて、調整手段１３によって固定するのみで、ヘルメット内換気装置１００等の所定の物品を容易に装着できる。
また、この際には、紐状部材１２によって、鍔が挟まれるようにして固定されることから、ヘルメット内換気装置１００等の所定の物品を、唾付のヘルメット、帽子等に強固に固定することが可能となり、当該物品が外れてしまったり、ずれてしまったりすることを防止することができる。
また、一本の紐状部材１２が、図２及び図４に示すように環状部材１１の第１間隙１１５及び第２間隙１１６の内部に通され、これに単一の調整手段１３が備えられていることによって、単一の調整手段１３の固定位置を動かすのみで、紐状部材１２の第１間隙１１５に通されている部分の長さと、第２間隙１１６に通されている部分の長さとを、一度に調整することができる。したがって、装着機構１の着脱がさらに容易となる。
また、滑り止め部１１７が形成されていることによって、装着機構１がさらにずれ難くなる。
【００４１】
｛変形例｝
装着機構１としては、環状部材１１の上下を紐状部材１２が周回し、紐状部材１２の環状部材１１を周回する部分の長さを調整手段１３によって調整することによって、鍔付ヘルメット、帽子等の鍔の部分を、環状部材１１及び紐状部材１２によって挟むようにして、装着機構１を鍔付ヘルメット、帽子等に対して着脱自在に固定可能であればよく、環状部材１１、紐状部材１２及び調整手段１３の具体的構成については、種々の変更が可能である。
例えば、環状部材１１は、必ずしも外面側シート状部材１１１ａと内面側シート状部材１１１ｂの２層構造とされている必要はなく、一層のシート状部材によって形成された上で、内面側の上下にコード通しを複数箇所備えることによって、紐状部材１２を保持するようにしてもよい。
また、紐状部材１２は、必ずしも単一である必要はなく、例えば、２本の紐状部材を環状部材１１の上下にそれぞれ備えてもよい。この場合、例えば、それぞれの紐状部材に、その両端部を通すようにして調整手段１３としてのコードストッパーを別個に備えることで、それぞれの紐状部材につき、環状部材１１を周回する部分の長さを調整可能とすることができる。
【００４２】
また、紐状部材を、ゴム紐等の伸縮性を有する材料を用いて形成した場合、必ずしも調整手段１３を備えずともよい。
例えば、図８に示す装着機構１Ａのように、環状部材１１の第１間隙１１５内及び第２間隙１１６内に、それぞれ別個のリング状に形成され伸縮性を有する紐状部材１２Ａ、１２Ａが備えられるようにし、かつ、それぞれの紐状部材１２Ａ、１２Ａの周長が、装着機構１Ａが取り付けられることが予定されている鍔付のヘルメット、帽子等の鍔の端部の周長と比較して、引き伸ばされていない状態において短く、引き伸ばされた状態において長くなるように形成することによって、調整手段１３を備えずとも、紐状部材１２Ａ、１２Ａを伸縮させるのみで、装着機構１を鍔付のヘルメット、帽子等に着脱自在とすることができる。なお、この場合、第１開口部１１５ａ及び第２開口部１１６ａは設けずともよい。
【符号の説明】
【００４３】
１、１Ａ  装着機構
１１  環状部材
１１１  シート状部材
１１１ａ  外面側シート状部材
１１１ｂ  内面側シート状部材
１１５  第１間隙
１１５ａ  第１開口部
１１６  第２間隙
１１６ａ  第２開口部
１１７  滑り止め部
１２、１２Ａ  紐状部材
１２ａ  第１端部
１２ｂ  第２端部
１３  調整手段
１００  ヘルメット内換気装置
【図１】
2019085658.tif 000003
【図２】
2019085658.tif 000004
【図３】
2019085658.tif 000005
【図４】
2019085658.tif 000006
【図５】
2019085658.tif 000007
【図６】
2019085658.tif 000008
【図７】
2019085658.tif 000009
【図８】
2019085658.tif 000010